(57)【要約】【課題】製作の容易な支柱に処理器を収納し小型軽量化を行うと同時に、到来した電波の反射波による空中線への影響を抑制する空中線装置、及び反射板を提供する。【解決手段】空中線部２により、到来する電波を受信し、処理器３により、空中線部２が受信した電波信号を処理し、空中線部２を支持する断面が四角形の支柱４により、処理器３を自身の内部に設置し、反射板５により、支柱４の周囲にこの支柱４を略円形状に囲う。【選択図】      図1
2015186190.tif 000002
【特許請求の範囲】
【請求項１】
到来する電波を受信する空中線部と、
前記空中線部が受信した電波信号を処理する処理器と、
前記処理器を自身の内部に設置し、前記空中線部を支持する断面が四角形の支柱と、
前記支柱の周囲にこの支柱を略円形状に囲うように設置する反射板と、
を備えたことを特徴とする空中線装置。
【請求項２】
前記空中線部は、前記空中線とこの空中線を支持する空中線支持部とを備え、
前記支柱は、空中線支持部を支持することにより、前記空中線を支持する、
ことを特徴とする請求項１記載の空中線装置。
【請求項３】
前記反射板は、それぞれが円弧状に湾曲した複数の金属板であり、
断面が四角形の前記支柱の各側面に１つずつ設置する、
ことを特徴とする請求項１又は２記載の空中線装置。
【請求項４】
湾曲した前記金属板の曲率は、前記支柱の前記四角形の対角線の半分の長さ（ｒ）の逆数（１/ｒ）と一致するか、対角線の半分の長さ（ｒ）近辺の長さの逆数である、
ことを特徴とする請求項３記載の空中線装置。
【請求項５】
前記空中線素子の高さを前記支柱の高さと同程度に配置する、ことを特徴とする請求項２記載の空中線装置。
【請求項６】
前記金属板を前記支柱の各側面に設置するブラケットを更に有し、
前記支柱の各側面のうちの開閉可能な側面に設置された前記ブラケットから前記開閉面に設置された金属板を外し、前記開閉面の一辺に有する軸を回転中心にして前記開閉面を回転させて前記開閉面を開閉するようにした、
ことを特徴とする請求項３又は４記載の空中線装置。
【請求項７】
前記支柱の前記空中線を支持する側を示す上面の周囲に前記支柱の前記四角形を囲う円周形状のレールを更に有し、
前記反射板は、前記レールの前記円周形状に沿って垂れ幕状に設置した金属膜である、
ことを特徴とする請求項１又は２記載の空中線装置。
【請求項８】
前記金属膜は、前記レールの前記円周形状の円周方向に沿って蛇腹状に伸縮する、
ことを特徴とする請求項７記載の空中線装置。
【請求項９】
前記金属膜を、前記レールの前記円周形状の円周方向に沿って蛇腹状に縮めて収納し、
前記支柱の各側面のうちの開閉可能な側面を示す開閉面の一辺を軸にして前記開閉面を回転させて前記開閉面を開閉するようにした、
ことを特徴とする請求項８記載の空中線装置。
【請求項１０】
到来する電波を受信する空中線を支持し前記空中線が受信した電波信号を処理する処理器を内部に設置する断面が四角形の支柱の周囲にこの支柱を略円形状に囲うように設置する反射板であって、
円弧状に湾曲した複数の金属板で構成し、
複数の前記金属板を、前記支柱の各側面に１つずつ設置する、
ことを特徴とする反射板。
【発明の詳細な説明】
【技術分野】
【０００１】
本発明は、空中線装置、及び反射板に関し、空中線を支柱により支持する空中線装置、及び反射板に関する。
【背景技術】
【０００２】
無指向性空中線の装置は、関連技術における空中線装置の一例を示す図９に示すように、受信機、信号切替器等を含んだ処理器の金属筐体を、通常、空中線装置の下部に設置している。これは、空中線に電波の到来があった際に、処理器の金属筐体からの反射波の空中線素子、すなわち、空中線への影響を少なくするためである。信号切替器は、空中線からの電波信号を切り替えて内部に取り込む。受信機は電波信号を受信する。
【０００３】
このように、無指向性空中線の装置は、金属筐体からの反射波の空中線への影響を少なくするために、金属筐体を空中線から離れた下の方の位置に設置する必要がある。したがって、金属筐体から空中線までの距離を長くする必要があるため、空中線支柱等が長くなり、全体的に大型で重くなるという問題がある。
【０００４】
特許文献１に円筒形支柱の内部に処理器を収納する技術が開示されている。この技術によって、処理器の金属筐体からの反射波による空中線への影響を抑制することができる。また、一般的に、円筒形の支柱は到来した電波を等方的に散乱するので、支柱から反射した電波による空中線への影響を抑制することができる。
【先行技術文献】
【特許文献】
【０００５】
【特許文献１】実公昭６０−３６９１０号公報
【発明の概要】
【発明が解決しようとする課題】
【０００６】
上述のように、特許文献１に開示の円筒形支柱の内部に処理器を収納するようにした技術によって、処理器の金属筐体からの反射波による空中線への影響を抑制することができる。しかし、特許文献１に開示の技術は支柱を円筒形としているので、四角柱と比較して製作が困難であるという問題がある。一方で、上述の通り、到来した電波の支柱からの反射波による空中線への影響を抑制する必要がある。
【０００７】
本発明の目的は、上記課題を解決して、製作の容易な形状の支柱に処理器を収納し小型軽量化を行うと同時に、到来した電波の反射波による空中線への影響を抑制する空中線装置、及び反射板を提供することである。
【課題を解決するための手段】
【０００８】
本発明の空中線装置は、到来する電波を受信する空中線部と、前記空中線部が受信した電波信号を処理する処理器と、前記処理器を自身の内部に設置し、前記空中線部を支持する断面が四角形の支柱と、前記支柱の周囲にこの支柱を略円形状に囲うように設置する反射板と、を備えている。
【０００９】
本発明の反射板は、本発明の空中線装置に使用する前記反射板であって、円弧状に湾曲した複数の金属板で構成し、複数の前記金属板を、断面が四角形の前記支柱の各側面に１つずつ設置する、ようにしている。
【発明の効果】
【００１０】
本発明によれば、製作の容易な形状の支柱に処理器を収納し小型軽量化を行うと同時に、到来した電波の反射波による空中線への影響を抑制する空中線装置、及び反射板を提供することができる。
【図面の簡単な説明】
【００１１】
【図１】本発明の第１の実施の形態に係る空中線装置の一例を示す図である。
【図２】本発明の第１の実施の形態に係る空中線装置の支柱の断面の一例を示す図である。
【図３】本発明の第２の実施の形態に係る空中線装置の一例を示す図である。
【図４】本発明の第２の実施の形態に係る空中線装置の支柱の上面側から見た透視図と、支柱の開閉面側の側面の透視図の一例を示す図である。
【図５】本発明の第２の実施の形態に係る空中線装置の支柱の開閉面を開いたときの一例を示す図である。
【図６】本発明の第３の実施の形態に係る空中線装置の一例を示す図である。
【図７】本発明の第３の実施の形態に係る空中線装置の支柱の上面側から見た透視図と、支柱の開閉面側の側面の透視図の一例を示す図である。
【図８】本発明の第３の実施の形態に係る空中線装置の支柱の開閉面を開いたときの一例を示す図である。
【図９】関連技術における空中線装置の一例を示す図である。
【発明を実施するための形態】
【００１２】
次に、本発明の実施の形態について図面を参照して説明する。
（第１の実施の形態）
図１は、本発明の第１の実施の形態に係る空中線装置の一例を示す図である。
【００１３】
本実施の形態に係る空中線装置１は、空中線部２と、処理器３と、支柱４と、反射板５とにより構成される。
【００１４】
空中線部２は、到来する電波を受ける例えば無指向性空中線を有する。
【００１５】
処理器３は、空中線部２が受信した電波信号を処理する。処理器３は、空中線部２からの電波信号を切り替えて内部に取り込む信号切替器、電波信号を受信する受信機等を含む。
【００１６】
支柱４は、支柱４の断面を示す図２に示すように、断面が四角形の四角柱であり、空中線部２が受信した電波を処理する処理器３を内部に設置する。支柱４内に処理器３を設置したので、処理器３による不要な反射波がない。支柱４は、空中線支持部７により空中線部２を支持する。
【００１７】
反射板５は、支柱４の周囲にこの支柱４を略円形状に囲うように設置する。このため、反射板５により、到来電波を等方的に散乱することができ、空中線部２への影響を抑制することができる。
【００１８】
このように、本実施の形態によれば、支柱を円筒でなく製作の容易な四角柱にした。そして、この支柱に処理器を配置した。このため、処理器の金属筐体部分を支柱と共通化できるので、小型軽量化が可能となる。同時に、支柱（四角柱）を反射板により略円形状に囲うようにしたので、到来した電波の反射波による空中線への影響を抑制することができる。
（第２の実施の形態）
図３は、本発明の第２の実施の形態に係る空中線装置の一例を示す図である。
【００１９】
本第２の実施の形態は、第１の実施の形態の空中線部２を空中線６と空中線支持部７により構成し、第１の実施の形態をより具体化したものである。主に第１の実施の形態と相違する部分について説明する。
【００２０】
本実施の形態に係る空中線装置１は、空中線部２と、処理器３と、支柱４と、反射板５とにより構成される。
【００２１】
空中線部２は、空中線６とこの空中線６を支持する空中線支持部７とを備える。空中線６は、到来する電波を受ける例えば無指向性の空中線素子を、例えば先端に設置した無指向性空中線である。空中線６は、空中線素子を放射状に配置する。
【００２２】
処理器３は、空中線６（空中線素子）が受信した電波信号を処理する。
【００２３】
支柱４は、図４の（ａ）に示すように、断面が四角形（例えば正方形）の四角柱であり、空中線６が受信した電波を処理する処理器３を内部に設置する。図４は、本実施の形態に係る空中線装置の支柱４の上面側から見た透視図と、支柱４の開閉面側の側面の透視図の一例を示す図である。支柱４は、空中線装置の最下部に設置され、空中線６を支持する空中線支持部７を支持する。
【００２４】
支柱４内部には、処理器３が格納されている。図４の（ｂ）に示すように、内部は板によって、複数段に区切られており、各段に処理器３、他の処理器、基材等を設置することができる。図３に示すように、空中線素子の高さを支柱４の高さと同程度に配置すると、図１に示す空中線支持部７の長さを短くすることができ、より小型軽量化が可能になる。また、図１に示す空中線支持部７の長さをそのままにして、支柱４を空中線素子の高さまで延ばして配置すると、支柱４内部により多くの処理器、基材等を配置することができる。
【００２５】
反射板５は、支柱４の周囲にこの支柱４を略円形状に囲うように設置する。このため、反射板５により、到来電波を等方的に散乱することができ、空中線６（空中線素子）への影響を抑制することができる。
【００２６】
反射板５は、図４に示すように、円弧状に湾曲した複数（例えば４枚）の金属板８を、断面が四角形の支柱４の各側面に１つずつ、例えば、ブラケットにより設置する。すなわち、支柱４の各側面それぞれに対し、円弧状に湾曲した金属板８を、支柱４の周囲を囲うように設置する。ブラケットは、例えば、Ｌ字型の金属金具であり、金属板８を四角柱に固定するために用いる。ブラケットは、例えば４つで一組とし、各金属板８は一組のブラケットがあてがわれる。
【００２７】
湾曲した金属板８の曲率は、支柱４の四角形（例えば正方形）の対角線の半分の長さ（ｒ）の逆数（１/ｒ）と一致するか、対角線の半分の長さ（ｒ）近辺の長さの逆数である。これにより、支柱４に反射板５を設置したものの断面が、略円形断面になる。金属板８の曲率と、四角形の対角線の半分の長さの逆数が等しいとき、四角形は反射板５に内接する。この場合、支柱４に反射板５を設置したものの断面は、円形断面になる。
【００２８】
ここで、処理器３を交換/修理する際の処理器３へのアクセス動作を説明する。
【００２９】
最初に、支柱４の各側面のうちの開閉可能な側面（開閉面）に設置されたブラケットからこの開閉面に対応して設置された金属板８を外す。次に、図５に示すように、この開閉面の一辺に有する軸を回転中心にして開閉面を回転させて開閉面を開く。図５は、本実施の形態に係る空中線装置の支柱の開閉面を開いたときの一例を示す図である。そして、支柱４の内部の処理器３を取り出して、修理等を行いこの処理器３を戻す。あるいは、処理器３を取り出した後に、他の処理器を支柱４の内部に設置する。そして、開閉面の一辺に有する軸を回転中心にして開閉面を回転させて開閉面を閉じる。最後に、金属板８を開閉面に設置されたブラケットに取り付ける。このように、支柱４の内部の処理器３へ簡単にアクセスすることができる。
【００３０】
尚、金属板８に、取っ手を設置するなどして金属板８を外さずに、開閉面を開閉するようにしてもよい。この場合、支柱４内部の処理器３へより容易にアクセスすることができる。
【００３１】
このように、本実施の形態によれば、支柱を円筒でなく製作の容易な四角柱にした。そして、この支柱に処理器を配置した。このため、処理器の金属筐体部分を支柱と共通化できるので、小型軽量化が可能となる。同時に、支柱（四角柱）を金属板の反射板により略円形状に囲うようにしたので、到来した電波の反射波による空中線への影響を抑制することができる。また、空中線素子の高さを支柱の高さまで下げて配置するので、空中線支持部の長さを短くすることができ、より小型軽量化が可能になる。更に、四角柱の内部に処理器を設置するので、円柱内部に処理器を設置する場合と比較して、処理器の設置機構等に関し、支柱をより容易に製造することができる。
（第３の実施の形態）
図６は、本発明の第３の実施の形態に係る空中線装置の一例を示す図である。
【００３２】
本第３の実施の形態は、第２の実施の形態の反射板５を、金属板８から金属膜９に替えたものである。主に第２の実施の形態と相違する部分について説明する。
【００３３】
支柱４は、図７に示すように、空中線支持部７を支持する側を示す上面の周囲に支柱４の四角形を囲う円周形状のレール１０有する。図７は、支柱の上面側から見た透視図と、支柱の開閉面側の側面の透視図の一例を示す図である。
【００３４】
反射板５は、例えば金属膜９であり、レール１０の円周形状に沿って、例えば垂れ幕状に設置し、支柱４（四角柱）を囲う。金属膜９は、レール１０の円周形状の円周方向に沿って蛇腹状に伸縮可能である。
【００３５】
ここで、処理器３を交換/修理する際の処理器３へのアクセス動作を説明する。
【００３６】
最初に、金属膜９を、レール１０の円周形状の円周方向に沿って蛇腹状に縮めて収納し、支柱４の開閉可能な側面（開閉面）部分にアクセスできるようにする。次に、図８に示すように、この開閉面の一辺に有する軸を回転中心にして開閉面を回転させて開閉面を開く。
図８は、本実施の形態に係る空中線装置の支柱４の開閉面を開いたときの一例を示す図である。そして、支柱４の内部の処理器３を取り出して、修理等を行いこの処理器３を戻す。あるいは、処理器３を取り出した後に、他の処理器を支柱４の内部に設置する。そして、開閉面の一辺に有する軸を回転中心にして開閉面を回転させて開閉面を閉じる。最後に、蛇腹状に縮められた金属膜９を、レール１０の円周形状の円周方向に沿って伸ばして支柱４（四角柱）を囲う。このように、支柱４の内部の処理器３へ簡単にアクセスすることができる。
【００３７】
このように、本実施の形態によれば、支柱を円筒でなく製作の容易な四角柱にした。そして、この支柱に処理器を配置した。このため、処理器の金属筐体部分を支柱と共通化できるので、小型軽量化が可能となる。同時に、支柱（四角柱）を金属膜の反射板により略円形状に囲うようにしているので、到来した電波の反射波による空中線への影響を抑制することができる。また、空中線素子の高さを支柱の高さまで下げて配置するので、空中線支持部の長さを短くすることができ、より小型軽量化が可能になる。更に、四角柱の内部に処理器を設置するので、円柱内部に処理器を設置する場合と比較して、処理器の設置機構等に関し、支柱をより容易に製造することができる。
【００３８】
尚、上記の説明では、空中線６を一つにしたが、空中線支持部７を上方に伸ばし、この空中線支持部７に複数の空中線６を取り付けてもよい。このときには、支柱の内部に、複数の空中線６に対応する複数の処理部を設置する。また、空中線素子の本数及び、処理器の台数は、任意に変更可能である。
【００３９】
上記の実施形態の一部または全部は、以下の付記のように記載され得るが、以下には限られない。
（付記１）
到来する電波を受信する空中線部と、
前記空中線部が受信した電波信号を処理する処理器と、
前記処理器を自身の内部に設置し、前記空中線部を支持する断面が四角形の支柱と、
前記支柱の周囲にこの支柱を略円形状に囲うように設置する反射板と、
を備えたことを特徴とする空中線装置。
（付記２）
前記空中線部は、前記空中線とこの空中線を支持する空中線支持部とを備え、
前記支柱は、空中線支持部を支持することにより、前記空中線を支持する、
ことを特徴とする付記１記載の空中線装置。
（付記３）
前記反射板は、それぞれが円弧状に湾曲した複数の金属板であり、
断面が四角形の前記支柱の各側面に１つずつ設置する、
ことを特徴とする付記１又は２記載の空中線装置。
（付記４）
湾曲した前記金属板の曲率は、前記支柱の前記四角形の対角線の半分の長さ（ｒ）の逆数（１/ｒ）と一致するか、対角線の半分の長さ（ｒ）近辺の長さの逆数である、
ことを特徴とする付記３記載の空中線装置。
（付記５）
前記空中線素子の高さを前記支柱の高さと同程度に配置する、ことを特徴とする付記２記載の空中線装置。
（付記６）
前記金属板を前記支柱の各側面に設置するブラケットを更に有し、
前記支柱の各側面のうちの開閉可能な側面に設置された前記ブラケットから前記開閉面に設置された金属板を外し、前記開閉面の一辺に有する軸を回転中心にして前記開閉面を回転させて前記開閉面を開閉するようにした、
ことを特徴とする付記３又は４記載の空中線装置。
（付記７）
前記支柱の前記空中線を支持する側を示す上面の周囲に前記支柱の前記四角形を囲う円周形状のレールを更に有し、
前記反射板は、前記レールの前記円周形状に沿って垂れ幕状に設置した金属膜である、
ことを特徴とする付記１又は２記載の空中線装置。
（付記８）
前記金属膜は、前記レールの前記円周形状の円周方向に沿って蛇腹状に伸縮する、
ことを特徴とする付記７記載の空中線装置。
（付記９）
前記金属膜を、前記レールの前記円周形状の円周方向に沿って蛇腹状に縮めて収納し、
前記支柱の各側面のうちの開閉可能な側面を示す開閉面の一辺を軸にして前記開閉面を回転させて前記開閉面を開閉するようにした、
ことを特徴とする付記８記載の空中線装置。
（付記１０）
到来する電波を受信する空中線を支持し前記空中線が受信した電波信号を処理する処理器を内部に設置する断面が四角形の支柱の周囲にこの支柱を略円形状に囲うように設置する反射板であって、
円弧状に湾曲した複数の金属板で構成し、
複数の前記金属板を、前記支柱の各側面に１つずつ設置する、
ことを特徴とする反射板。
（付記１１）
湾曲した前記金属板の曲率は、前記四角柱の対角線の半分の長さ（ｒ）の逆数（１/ｒ）と一致するか、対角線の半分の長さ（ｒ）近辺の長さの逆数である、
ことを特徴とする付記１０記載の反射板。
（付記１２）
到来する電波を受信する空中線を支持し前記空中線が受信した電波信号を処理する処理器を内部に設置する断面が四角形の支柱の周囲に設置する反射板であって、
方形形状の金属膜で構成し、前記支柱の周囲にこの支柱の中心を中心にして円形形状を成すように、前記金属膜を、前記支柱の前記空中線を支持する側を示す上面の周囲に前記支柱の前記四角形を囲う円周形状のレールにこの前記円周形状に沿って垂れ幕状に設置する、
ことを特徴とする反射板。
（付記１３）
前記金属膜は、前記レールの前記円周形状の円周方向に沿って蛇腹状に伸縮する、
ことを特徴とする付記１２記載の反射板。
【符号の説明】
【００４０】
１  空中線装置
２  空中線部
３  処理器
４  支柱
５  反射板
６  空中線
７  空中線支持部
８  金属板
９  金属膜
１０  レール
【図１】
2015186190.tif 000003
【図２】
2015186190.tif 000004
【図３】
2015186190.tif 000005
【図４】
2015186190.tif 000006
【図５】
2015186190.tif 000007
【図６】
2015186190.tif 000008
【図７】
2015186190.tif 000009
【図８】
2015186190.tif 000010
【図９】
2015186190.tif 000011